(57)【特許請求の範囲】
【請求項１】
自転車（Ａ）の前部（Ｂ）と後部（Ｃ）とに兼用して取付可能とされた幼児座席本体（１）を有し、
該本体（１）の前部に前用ステップ部材（２）が設けられ、該本体（１）の左右両側の前半部に後用ステップ部材（３）が設けられており、
前用ステップ部材（２）は、該本体（１）の前部に上方位置と下方位置とに変更可能に設置され、上方位置では、該本体（１）の前下方を閉じる前下壁（４）となり、下方位置では、該本体（１）の前下方を開口すると共に幼児の足を前に伸ばした状態で乗せるフロントステップ（５）となるように構成されており、
前記後用ステップ部材（３）は、該本体（１）の左右両側の前半部に上方位置と下方位置とに変更可能に設置され、上方位置では、該本体（１）の左右両側の前半部の左右両側開口部（１３）を閉じる側壁（６）となり、下方位置では、該本体（１）の左右両側開口部（１３）を開口させて幼児の左右両足を乗せるサイドステップ（７）となるように構成され、
さらに、前記後用ステップ部材（３）は、該本体（１）の左右両側開口部（１３）を覆う前半部側壁部（３ａ）と、この前半部側壁部（３ａ）の前端に設けられた前ガード部材（２９）とを有し、
前半部側壁部（３ａ）は、下端を前記左右両側開口部（１３）の下部に前後方向軸線の回りで上下方向に回動可能に枢支され、かつ、上方位置と下方位置とにそれぞれ固定保持可能とされていて、
前記前ガード部材（２９）は、前半部側壁部（３ａ）の前端上部に左右方向内側に向けて一連に屈曲形成されており、下端から下方向に延長可能な補助ガード部材（３７）を備えていることを特徴とする自転車用幼児座席。
【請求項２】
自転車（Ａ）の後部（Ｃ）に取付可能とされた幼児座席本体（１）を有し、
該本体（１）の左右両側の前半部に後用ステップ部材（３）が設けられており、
後用ステップ部材（３）は、該本体（１）の左右両側の前半部に上方位置と下方位置とに変更可能に設置され、上方位置では、該本体（１）の左右両側の前半部の左右両側開口部（１３）を閉じる側壁（６）となり、下方位置では、該本体（１）の左右両側開口部（１３）を開口させて幼児の左右両足を乗せるサイドステップ（７）となるように構成され、
さらに、後用ステップ部材（３）は、該本体（１）の左右両側開口部（１３）を覆う前半部側壁部（３ａ）と、この前半部側壁部（３ａ）の後端に設けられた後ガード部材（３０）とを有し、
前半部側壁部（３ａ）は、下端を前記左右両側開口部（１３）の下部に前後方向軸線の回りで上下方向に回動可能に枢支され、かつ、上方位置と下方位置とにそれぞれ固定保持可能とされていて、
前記後ガード部材（３０）は、前半部側壁部（３ａ）の後端に上下方向軸線の回りで該前半部側壁部（３ａ）の左右方向内側に沿って平行に収納される状態と、該前半部側壁部（３ａ）に対して直角に突出する状態とに変更可能に枢支されていることを特徴とする自転車用幼児座席。
【請求項３】
前記後用ステップ部材（３）は、下方位置において、前半部側壁部（３ａ）の下端に前後方向軸線の回りで該前半部側壁部（３ａ）から水平に突出した状態と垂直に折り畳み収納した状態とに変更可能に枢支されたサイドステップ部材（２８）が設けられていることを特徴とする請求項１又は２に記載の自転車用幼児座席。
【請求項４】
前記幼児座席本体（１）は、幼児を乗せるための座部（８）と、座部（８）の後半部周囲を囲む後壁部（９）及び左右両側の後半部側壁部（１０）と、座部（８）の左右両側下面から前方に延長され、該延長端から上方へ屈曲された左右両側のサイドフレーム（１１）と、該サイドフレーム（１１）の前部上方端間に架設された幼児用グリップハンドル（１２）と、座部（８）の前部で前下方に向けて開口する前下方開口部（１４）と、前下方開口部（１４）の上部を閉じるべく前記左右両側のサイドフレーム（１１）間に架設された前壁部（１５）とを備え、
前記左右両側開口部（１３）は、前記後半部側壁部（１０）の前端と幼児用グリップハンドル（１２）との間で左右両側へ向けて開口していることを特徴とする請求項１〜３の何れか１項に記載の自転車用幼児座席。
【請求項５】
前記前用ステップ部材（２）は、前記幼児座席本体（１）の前下方開口部（１４）を覆う前壁部（２ａ）と該前壁部（２ａ）の下端から後方に伸びる前底板部（２ｂ）とを有する側面視略横向きＬ字形の部材で構成され、該前底板部（２ｂ）の後端が前記座部（８）の前端に対して左右方向軸線の回りで上下方向に回動可能に枢支され、かつ、上方位置と下方位置とで位置決め保持可能とされていることを特徴とする請求項４に記載の自転車用幼児座席。
【請求項６】
前記幼児座席本体（１）は、ヘッドレスト部材（４５）を高さ調整可能で、かつ、左右方向軸線の回りで後方へ回動変位可能に備えていることを特徴とする請求項１〜５の何れか１項に記載の自転車用幼児座席。
【発明の詳細な説明】
【技術分野】
【０００１】
本発明は、自転車用幼児座席に関するものである。
【背景技術】
【０００２】
自転車用幼児座席として、荷籠と兼用としたものが種々公知であり、例えば、荷籠の前半部の可動側枠を下方へ回動可能として、荷籠の底面部、前部枠、後部枠及び両側枠で囲まれた幼児座席を形成し、幼児の両足を荷籠の前半部両側の可動側枠を下方へ回動させて形成した開口部から両側へ出すようにし、自転車の前部に取り付ける時も後部に取り付けるときも同じ態様で使用するものが公知である（特許文献１参照）。
【０００３】
また、同様な目的で前記荷籠の前半部の可動側枠に相当する部材を底面部前端に左右方向軸の回りで上下方向に回動可能に枢着し、上方位置では荷籠の前半部の左右両側の開口部を閉鎖して荷籠として使用できるようにし、下方位置では荷籠の前半部の左右両側の開口部を開放して幼児の両足を該開口部から両外側に出して幼児の足底を乗せるサイドステップとして使用できるようにしたものも公知である（例えば、特許文献２参照）。
【特許文献１】実願昭４７−５３５４８号（実開昭４９−１１４５１号）のマイクロフィルム
【特許文献２】特開平１１−１２９９５４号公報
【発明の開示】
【発明が解決しようとする課題】
【０００４】
前記特許文献１及び特許文献２のものは、自転車の前部と後部に兼用して取付可能とされているが、何れのものも、自転車の前部に取り付けて使用する態様と後部に取り付けて使用する態様とが同一とされている。
ところが、このような自転車の前部取付時と後部取付時とで同じ態様で使用するものでは、次のような問題点がある。
【０００５】
即ち、自転車の前部取付時では、ハンドルの前や左右のハンドルの間に幼児座席を設置することになるため、ステップ部材が幼児座席から左右両側に張り出していると、幼児の両足が障害物に干渉したり負傷し易くなる。
また、自転車の後部取付時では、幼児の両足を乗せるステップ部材を自転車の後輪を跨いで左右両側に張り出して設けることが必要となり、自転車の前部取付時とは異なった態様で使用可能とすることが望ましいが、前記特許文献１、２のものは、このような異なる態様で使用する構成とされていない。
【０００６】
さらに、幼児が小さい間は、身長が低く体重も軽いため、幼児座席の容積も小さくてもよいが、幼児が大きくなってくると、幼児座席の容積を広げられるようにしておくことが必要となり、また、ステップも伸ばせるようにしておくことが必要となるが、前記特許文献１、２のものは、このような構成とされていない。
本発明は、従来の自転車用幼児座席の上記問題点に鑑みて提案されたものであって、その目的とするところは、自転車の前部取付時と後部取付時とのそれぞれに適した態様に変更して使用可能とすると共に、何れの取付状態でも幼児の保護向上を可能とした自転車用幼児座席を提供することにある。
【課題を解決するための手段】
【０００７】
前記目的を達成するために本発明は、自転車の前部と後部とに兼用して取付可能とされた幼児座席本体を有し、
該本体の前部に前用ステップ部材が設けられ、該本体の左右両側の前半部に後用ステップ部材が設けられており、
前用ステップ部材は、該本体の前部に上方位置と下方位置とに変更可能に設置され、上方位置では、該本体の前下方を閉じる前下壁となり、下方位置では、該本体の前下方を開口すると共に幼児の足を前に伸ばした状態で乗せるフロントステップとなるように構成されており、
前記後用ステップ部材は、該本体の左右両側の前半部に上方位置と下方位置とに変更可能に設置され、上方位置では、該本体の左右両側の前半部の左右両側開口部を閉じる側壁となり、下方位置では、該本体の左右両側開口部を開口させて幼児の左右両足を乗せるサイドステップとなるように構成されていることを特徴としている。
【０００８】
また、前記幼児座席本体は、幼児を乗せるための座部と、座部の後半部周囲を囲む後壁部及び左右両側の後半部側壁部と、座部の左右両側下面から前方に延長され、該延長端から上方へ屈曲された左右両側のサイドフレームと、該サイドフレームの前部上方端間に架設された幼児用グリップハンドルと、後半部側壁部の前端と幼児用グリップハンドルとの間で左右両側へ向けて開口する左右両側開口部と、座部の前部で前下方に向けて開口する前下方開口部と、前下方開口部の上部を閉じるべく前記左右両側のサイドフレーム間に架設された前壁部とを備えていることを特徴としている。
【０００９】
また、前記前用ステップ部材は、前記本体の前下方開口部を覆う前壁部と該前壁部の下端から後方に伸びる前底板部とを有する側面視略横向きＬ字形の部材で構成され、該前底板部の後端が前記座部の前端に対して左右方向軸線の回りで上下方向に回動可能に枢支され、かつ、上方位置と下方位置とで位置決め保持可能とされていることを特徴としている。
【００１０】
また、前記後用ステップ部材は、前記本体の左右両側開口部を覆う前半部側壁部を有し、該前半部側壁部は、下端を前記左右両側開口部の下部に前後方向軸線の回りで上下方向に回動可能に枢支され、かつ、上方位置と下方位置とで位置決め保持可能とされていることを特徴としている。
また、前記後用ステップ部材は、下方位置において、前半部側壁部の下端に前後方向軸線の回りで該前半部側壁部から水平に突出した状態と垂直に折り畳み収納した状態とに変更可能に枢支されたサイドステップ部材が設けられており、さらに、前半部側壁部の前端及び後端に前ガード部材及び後ガード部材が設けられていることを特徴としている。
【００１１】
また、前記前ガード部材は、前半部側壁部の前端上部に左右方向内側に向けて一連に屈曲形成されており、補助ガード部材を上下方向に延長可能に備えていることを特徴としている。
また、前記後ガード部材は、前半部側壁部の後端に上下方向軸線の回りで該前半部側壁部の左右方向内側に沿って平行に収納される状態と、該前半部側壁部に対して直角に突出する状態とに変更可能に枢支されていることを特徴としている。
【００１２】
さらに、前記幼児座席本体は、ヘッドレスト部材を高さ調整可能で、かつ、左右方向軸線の回りで後方へ回動変位可能に備えていることを特徴としている。
【発明の効果】
【００１３】
本発明によれば、前用ステップ部材と後用ステップ部材とを幼児座席本体の前部と左右両側の前半部に分けて設けているため、自転車の前部取付時には、幼児座席本体の左右方向へ張り出さない状態で前方に配置可能となり、幼児が小さい間は幼児座席本体を自転車の前部に取り付けて使用することにより幼児をその両足を含めて幼児座席本体内に座乗させて保護することができる。また、自転車の後部取付時には、ステップ部分を幼児座席本体から左右両側に張り出した状態で配置可能とされているため、幼児が大きくなってくると、幼児座席本体を自転車の後部に取り付けて幼児の両足を幼児座席本体の左右両側に出して座乗させることができる。このように本発明の自転車用幼児座席によれば、自転車の前部取付時と後部取付時とのそれぞれに適した態様に変更して使用可能となり、しかも、何れの取付状態でも幼児を安定した姿勢で座乗させることができ、両足の保護も向上させることができる。また、ヘッドレスト部材は、幼児の成長に応じて自由に高さ調整することができ、しかも、幼児を乗せるときや下ろすときに後方へ回動変位させて退避させれば、幼児の乗せ下ろしが容易となる。
【発明を実施するための最良の形態】
【００１４】
以下、本発明に係る自転車用幼児座席の実施の形態を図面を参照して説明する。
本発明の自転車用幼児座席は、図１〜図６に示すように、自転車Ａの前部Ｂと後部Ｃとに兼用して取付可能とされた幼児座席本体１を有し、該本体１の前部に前用ステップ部材２が設けられ、該本体１の左右両側の前半部に後用ステップ部材３が設けられている。
前用ステップ部材２は、該本体１の前部に上方位置と下方位置とに変更可能に設置され、上方位置では、該本体１の前下方を閉じる前下壁４となり、下方位置では、該本体１の前下方を開口すると共に幼児の足を前に伸ばした状態で乗せるフロントステップ５となるように構成されている。
【００１５】
前記後用ステップ部材３は、該本体１の左右両側の前半部に上方位置と下方位置とに変更可能に設置され、上方位置では、該本体１の左右両側の前半部を閉じる側壁６となり、下方位置では、該本体１の左右両側を開口させて幼児の左右両足を乗せるサイドステップ７となるように構成されている。
本発明の上記幼児座席本体１は、自転車Ａの前部Ｂと後部Ｃとの何れの取付時においても荷籠に兼用可能に構成されている。
【００１６】
幼児座席本体１は、図７に示すように、幼児を乗せるための座部８と、座部８の後半部周囲を囲む後壁部９及び左右両側の後半部側壁部１０と、座部８の左右両側下面から前方に延長され、該延長端から上方へ屈曲された左右両側のサイドフレーム１１と、該サイドフレーム１１の前部上方端間に架設された幼児用グリップハンドル１２と、後半部側壁部１０の前端と幼児用グリップハンドル１２との間で左右両側へ向けて開口する左右両側開口部１３と、座部８の前部で前下方に向けて開口する前下方開口部１４と、前下方開口部１４の上部を閉じるべく前記左右両側のサイドフレーム１１、１１間に架設された前壁部１５とを備えている。
【００１７】
また、前記前用ステップ部材２は、前記本体１の前下方開口部１４を覆う前壁部２ａと該前壁部２ａの下端から後方に伸びる前底板部２ｂとを有する側面視略横向きＬ字形の部材で構成され、該前底板部２ｂの後端が、図９に示すように、前記座部８の前端に対して左右方向軸線の回りで上下方向に回動可能に枢支され、かつ、上方位置と下方位置とで位置決め保持可能とされている。座部８の前端と、前底板部２ｂの後端とには、左右方向軸線に沿うヒンジピン１６を挿通するヒンジ凸部１７，１８が形成されており、両ヒンジ凸部１７，１８にヒンジピン１６が挿通されている。
【００１８】
前用ステップ部材２の前壁部２ａの上端中央部には、図７に示すように、係止片２ｃが形成され、この係止片２ｃには前後方向に開口する取付穴２ｄが形成され、この取付穴２ｄには係止ハンドル１９の丸軸部１９ａが回動可能に挿通され、挿通後、この丸軸部１９ａの先端に直方体形状の鍵部１９ｂがねじで固着され、取付穴２ｄから抜け止めされている。前壁部２ａの係止片２ｃと係止ハンドル１９との接触座面には、図９に示すように、複数個の凸部１９ｃと凹部２ｅが取付穴２ｄの周囲に等間隔で配設され（図は４個を９０°間隔で配設した場合を示す。）、係止ハンドル１９の回動角度を９０°毎に位置決め可能とされている。
【００１９】
前記左右両側のサイドフレーム１１，１１間に架設された前壁部１５の左右方向中央部には、図７に示すように、上記係止片２ｃが嵌り込む凹部１５ａが形成されており、この凹部１５ａの中央部には、長穴形状の鍵穴１５ｂが形成されている。この鍵穴１５ｂには、前記係止ハンドル１９の鍵部１９ｂが、長穴の向きと直方体の長手方向とを一致させることにより、通り抜け可能で、９０°食い違わせることにより係止可能とされている（図９参照）。この構成により、前用ステップ部材２は、上方位置で位置決め保持される。また、前用ステップ部材２を下方位置へ変更する際には、係止ハンドル１９を９０°回動させて長穴の向きに直方体の長手方向を一致させて鍵部１９ｂを鍵穴１５ｂから抜き出すことにより行われる。前用ステップ部材２は、座部８に設けたストッパ部材２０によって下方への回動が規制され、下方位置の位置決め保持もこのストッパ部材２０によって、又は、別の係止部材（図示省略）との併用によって行われる。
【００２０】
また、前記後用ステップ部材３は、図８に示すように、前記本体１の左右両側開口部１３を覆う概略長方形板状の前半部側壁部３ａを有し、該前半部側壁部３ａは、下端を前記左右両側開口部１３の下部のサイドフレーム１１に前後方向軸線の回りで上下方向に回動可能に枢支され、かつ、上方位置と下方位置とで位置決め保持可能とされている。前半部側壁部３ａの下端と、サイドフレーム１１の側面とには、前後方向軸に沿うヒンジピン２１を挿通するためのヒンジ凸部２２，２３が形成されており、両ヒンジ凸部２２，２３にヒンジピン２１が挿通されている。これにより、前半部側壁部３ａは、上方位置と下方位置とに変更可能とされている。前半部側壁部３ａの上方位置では、前記本体１の左右両側開口部１３を閉じるとともに、サイドフレーム１１の前方上部の前壁部１５の左右両側段差部１５ｃにネジ・ナット等からなる着脱可能な締結部材２４を介して係止させることにより位置決め保持させる構成とされている（図１０参照）。
【００２１】
前半部側壁部３ａの下方位置では、前記本体１の左右両側開口部１３を開口させるべく下方に１８０°回動され、サイドフレーム１１に形成されたストッパ部材２５によりそれ以上の回動が規制され（図９参照）、かつ、この状態でサイドフレーム１１に位置決め保持させるための固定ハンドル２６が設けられている（図７参照）。この固定ハンドル２６はネジ構造とされている。
【００２２】
また、前記後用ステップ部材３は、下方位置において、前半部側壁部３ａの下端に前後方向軸線の回りで該前半部側壁部３ａから左右方向外側に向けて水平に突出した状態と垂直に折り畳み収納した状態とに変更可能に枢支されたサイドステップ部材２８が設けられており、さらに、前半部側壁部３ａの前端及び後端に前ガード部材２９及び後ガード部材３０が設けられている。サイドステップ部材２８は、前後方向に長い長方形板状とされ、図６に示すように、本発明に係る幼児座席本体１を自転車Ａの後部Ｃに取り付けて使用する場合に、該本体１に乗せた幼児の両足を乗せるための部材として使用されるものである。
【００２３】
前半部側壁部３ａに対するサイドステップ部材２８の枢支部の構造は、図８、図１１及び図１２に示すように、前後方向のヒンジピン３１ａ、３１ｂと、このヒンジピン３１ａ、３１ｂを挿通するヒンジ凸部３２及びヒンジ受け部３３から構成されている。一方のヒンジピン３１ａは、断面四角形の角軸形状とされ、サイドステップ部材２８の前後方向の一端に一体に形成又は固着されており、ヒンジ受け部３３の角形凹部３３ａに収容されて該ヒンジ受け部３３が前半部側壁部３ａに２本のネジ３４で取り付けられることにより、水平又は垂直状態で回転を拘束された状態で保持されている（図１２参照）。他方のヒンジピン３１ｂは、丸軸形状とされ、前半部側壁部３ａに設けられたヒンジ凸部３２とサイドステップ部材２８の前後方向の他端とに形成されたピン穴３２ａ、２８ａに挿通されている。なお、上記他方のヒンジピン３１ｂは、サイドステップ部材２８に一体に形成されていてもよい。
【００２４】
前半部側壁部３ａには、サイドステップ部材２８を水平状態にしたときに、下方から支持するストッパ部材３５が設けられている（図１１参照）。また、サイドステップ部材２８には、凸部２８ｂが設けられており、この凸部２８ｂに対応する穴３６が前半部側壁部３ａに形成され、これらによって、サイドステップ部材２８を水平状態にしたときの補助ストッパを形成させている。なお、一方のヒンジピン３１ａが形成されたサイドステップ部材２８の前後方向の一端部には、切り欠き部２８ｃが形成されており、この切欠部２８ｃによって、ヒンジピン３１ａを固定状態で保持するヒンジ受け部３３の取付スペースを確保させている。
【００２５】
また、前記前ガード部材２９は、図８に示すように、前半部側壁部３ａの前端上部から左右方向内側に向けて一連に屈曲形成された上下方向に長い概略長方形板状とされており、補助ガード部材３７を上下方向に延長可能に備えている。補助ガード部材３７は、前ガード部材２９とほぼ同様な板形状の部材とされている。
前ガード部材２９は、図６に示すように、本発明に係る幼児座席本体１を自転車Ａの後部Ｃに取り付けて使用する場合において、該本体１に乗せた幼児の両足の前方を保護させるためのものである。
【００２６】
なお、補助ガード部材３７は、前ガード部材２９に一連に形成することも可能であるが、本発明に係る幼児座席本体１を、図５に示すように、自転車Ａの前部Ｂに取り付けて使用する場合、前壁部１５下端と前用ステップ部材２の前壁部２ａ上端との境界に対して、前ガード部材２９の下端が該境界を越えて下方に突出していると、該本体１に乗せた幼児が足を前方に出す際に邪魔になるので、これを避けるために前ガード部材２９の上下方向長さを短くし、補助ガード部材３７を上下方向に延長可能に取り付けるようにしたものである。このようにすれば、前ガード部材２９の上下方向長さを、必要時に、補助ガード部材３７で延長させて使用することができ、また、前方から見た外観デザインを向上させることもできる。
【００２７】
補助ガード部材３７は、図８及び図１０に示した締結部材２４を使用して前ガード部材２９に固定させるものである。即ち、締結部材２４は、本来、後用ステップ部材３を上方位置で前壁部１５に位置決め保持させておくためのものであるが、後用ステップ部材３を下方位置で使用する場合では不要となるもので、これを有効利用するため、補助ガード部材３７を前ガード部材２９に固定する部材に兼用するものである。なお、後用ステップ部材３を上方位置で使用する場合、補助ガード部材３７を図８の如く引き上げて前ガード部材２９と一緒に前壁部１５に締結部材２４で固定するようにしている。
【００２８】
前記後用ステップ部材３の前半部側壁部３ａの左右方向外側面の後端側には、図８に示すように、上下方向に沿ってハンドル嵌合用溝３８が形成されており、この溝３８には、図５に示すように、自転車ＡのハンドルバーＤの立ち上がり部が嵌合される。
また、前記後ガード部材３０は、図８に示すように、上下方向に長い概略長方形板状とされ、後用ステップ部材３の前半部側壁部３ａの後端に上下方向軸線の回りで該前半部側壁部３ａに沿って平行に収納される状態と、該前半部側壁部３ａに対して左右方向に直角に突出する状態とに変更可能に枢支されている。なお、左右方向の突出方向は、後用ステップ部材３を下方位置にした場合では、左右方向外側である。この後ガード部材３０は、図６に示すように、本発明に係る幼児座席本体１を自転車Ａの後部Ｃに取り付けて使用する場合において、該本体１に乗せた幼児の両足の後方を保護させるためのものである。
【００２９】
前半部側壁部３ａの後端と後ガード部材３０の前端とには、図８に示すように、上下一対のヒンジ凸部３９，４０が形成されており、これらが上下方向軸線に沿うヒンジピン４１，４２によって枢支されている。ヒンジピン４１，４２は、前半部側壁部３ａに形成された上下のヒンジ凸部３９に下方に向けて一体に突出形成されており、一方のヒンジピン４１は、丸軸形状とされ、他方のヒンジピン４２は、根元部が断面四角形の角軸形状とされ、それより先端側が小径の丸軸形状とされている。一方、後ガード部材３０に形成された上下のヒンジ凸部４０は、一方のヒンジピン４１に対する方が丸ピン穴４０ａとされ、他方のヒンジピン４２に対する方が、四角形の角穴４０ｂと、小径の丸ピン穴４０ｃとされている。
【００３０】
そして、後ガード部材３０のヒンジ凸部４０の丸ピン穴４０ａを一方のヒンジピン４１に挿通し、角穴４０ｂを他方のヒンジピン４２に挿通し、図８に示すネジ４３を下方のヒンジ凸部４０の下面側から丸ピン穴４０ｃを通してヒンジピン４２の先端に形成されているネジ穴４２ａに向けてねじ込むことによって前記ヒンジピン４２の角軸部を角穴４０ｂに嵌合させて後ガード部材３０を回転しないように前半部側壁部３ａに固定保持させるようにしている。
【００３１】
後ガード部材３０を前半部側壁部３ａに対して該前半部側壁部３ａに沿って平行に収納される状態と、該前半部側壁部３ａに対して左右方向に直角に突出する状態とに変更する場合には、ネジ４３を一旦、緩めて後ガード部材３０を下げ、角穴４０ｂをヒンジピン４２の角軸部から外して９０°回動させてから、再び、ネジ４３で締め直すものである。
さらに、前記幼児座席本体１は、図１、図２に示すように、ヘッドレスト部材４５を高さ調整可能で、かつ、左右方向軸線の回りで後方へ回動変位可能に備えている。ヘッドレスト部材４５は、左右方向に長い長方形板状の部材を平面視概略コ字形に屈曲形成されており、後面部４５ａと両側の側面部４５ｂ、４５ｂとを有し、後面部４５ａの左右方向中央部に下方に向けて延設されたステム部４５ｃを一体的に備えている。
【００３２】
上記ヘッドレスト部材４５は、幼児座席本体１に乗せられた幼児の後頭部と側頭部を保護させるためのもので、座部８の後半部周囲を囲む後壁部９に設置されるものである。
上記後壁部９の後面中央には、図１，図２、図４、図１４に示すように、上下方向に平行に２本の取付リブ４６、４７が突設されており、この取付リブ４６，４７には上下方向に沿って長穴４８が形成されている。
【００３３】
ヘッドレスト部材４５のステム部４５ｃは、上記取付リブ４６，４７間に挿入され、該ステム部４５ｃの下端の左右方向両側に取り付けられたガイドピン４９が前記取付リブ４６，４７の長穴４８に挿通されている。これによって、ヘッドレスト部材４５のステム部４５ｃは、取付リブ４６，４７の上下方向に移動可能に嵌合されている。
上記ステム部４５ｃを上下方向に位置決め固定する手段が該ステム部４５ｃと後壁部９とに設置されている。この手段は、図１４及び図１５に示すように、後壁部９に前後方向軸線まわりで回動可能に取り付けられたロックハンドル５０と、ステム部４５ｃに形成されたロック穴５１とからなっている。
【００３４】
ロックハンドル５０の取付位置は、後壁部９の上方で、取付リブ４６，４７の左右方向中央部であり、この部分の後壁部９には大小径２段の円形の軸穴９ａが形成されており、この軸穴９ａにロックハンドル５０の大小径２段の円形の軸部５０ａが回動可能に挿通されている。ロックハンドル５０は、軸部５０ａの小径先端部に大径の円板５０ｂが固着されており、反対端部に直方体形状の鍵部５０ｃが長手方向を軸部５０ａの軸線に直交して一体的に形成されている。鍵部５０ｃは、長辺が軸部５０ａより大きく形成され、短辺が軸部５０ａの大径部の外径と同一に形成されている。
【００３５】
ロック穴５１は、図４及び図１４に示すように、ステム部４５ｃの上下方向に離隔して形成された複数個（３個の場合を図示している。）の円形凹部５１ａと、これらの中央部を上下方向に貫通する長穴５１ｂとからなり、円形凹部５１ａは、ロックハンドル５０の鍵部５０ｃの長辺寸法より若干大きく形成されており、長穴５１ｂは、ロックハンドル５０の鍵部５０ｃの短辺寸法より大きく、前記円形凹部５１ａの直径寸法よりも小さく形成されている。
【００３６】
これによって、ロックハンドル５０の鍵部５０ｃの長辺方向を上下方向に合わせておくと、ロックハンドル５０の鍵部５０ｃに対してロック穴５１の長穴５１ｂを前後方向に通過させて抜き出すことができ、これによって、ヘッドレスト部材４５を後壁部９に対してガイドピン４９を中心として後方へ倒すことができる。この機能は、座部８に幼児を乗せたり下ろしたりする際に、ヘッドレスト部材４５が邪魔にならないように退避させておくことができることを意味するものである。
【００３７】
しかも、ロックハンドル５０の鍵部５０ｃの長辺方向を上下方向に合わせておくと、ロックハンドル５０の鍵部５０ｃに対して、ロック穴５１の複数個の円形凹部５１ａの間の幅狭部を通過させることが可能となり、これによって、ヘッドレスト部材４５のステム部４５ｃをロック穴５１の長穴５１ｂの範囲内で上下方向に自由に移動させることができ、かつ、任意の円形凹部５１ａの位置でロックハンドル５０の鍵部５０ｃを９０°回して長辺方向を水平にすると、当該円形凹部５１ａの高さ位置でヘッドレスト部材４５を後壁部９に固定保持させることができる。
【００３８】
ロックハンドル５０の円板５０ｂと後壁部９との接触座面には、図１５に示すように、複数個の凸部５０ｄと凹部９ｂが軸穴９ａの周囲に等間隔で配設され（図は４個を９０°間隔で配設した場合を示す。）、ロックハンドル５０の回動角度を９０°毎に位置決め可能とされている。
上記したヘッドレスト部材４５の高さ調整は、円形凹部５１ａの設置間隔と設置個数を適宜設定することによって、段階的に行うことができる。
【００３９】
図１６及び図１７は、ヘッドレスト部材４５の高さを無段階的に調整可能とする場合の実施形態を示すもので、ロックハンドル５０は前記実施形態の構成と同一である。そして、前記ロック穴５１に代えて、ステム部４５ｃに上下方向に長い長穴５１ｂを形成し、ステム部４５ｃの前面に、前記長穴５１ｂの両側に長手方向全長に沿って鋸歯状の凹凸５２を形成し、これに対応して、後壁部９の後面でロックハンドル５０の両側に鋸歯状の凹凸５３を複数個（図１７は、３個の場合を例示している。）形成している。
【００４０】
この実施形態の場合は、ロックハンドル５０の鍵部５０ｃの長辺方向を上下方向にしておき、ステム部４５ｃを後方に倒して、ステム部４５ｃを任意の高さとし、その位置でステム部４５ｃを前方に戻して、ステム部４５ｃの凹凸５２を後壁部９の凹凸５３に噛合させ、この状態でロックハンドル５０を９０°回して鍵部５０ｃの長辺方向を長穴５１ｂの外側（後面側）で水平にすることによりにステム部４５ｃを後壁部９に係止させてヘッドレスト部材４５を後壁部９に対してにんいの高さ位置で固定保持させることができる。
【００４１】
上記した本発明の実施形態の場合、幼児が小さい間は、図５に示すように、自転車Ａの前部ＢのハンドルバーＤに跨らせて適宜の固定金具（図示省略）により取り付けて使用される。その際、図１に示すように、前用ステップ部材２を下方位置に下げて、座部８に乗せた幼児が足を前下方開口部１４から前に出して乗せることができるようにする。なお、この場合、荷籠として使用する場合は、前用ステップ部材２を上方位置に上げて前下方開口部１４を閉じて使用する。
【００４２】
また、幼児が大きくなってくると、本発明に係る幼児座席本体１を、図６に示すように、自転車Ａの後部Ｃの荷台に適宜の取付器具（図示省略）によって取り付けて使用される。その際、図２に示すように、後用ステップ部材３を下方位置に下ろし、サイドステップ部材２８を水平に出し、前ガード部材２９に対して補助ガード部材３７を下方に延長した状態に固定し、後ガード部材３０を左右方向に直交状態に突出させて固定して使用する。この場合、幼児は両足を座部８の前半部の左右両側開口部１３から出してサイドステップ部材２８に乗せることができる。
【００４３】
前記各実施形態における幼児座席本体１の主要部材は、樹脂製とされるが、他の材料で構成してもよい。また、座部８及びヘッドレスト部材４５の内面には、適宜のクッション材が設置され、また、座部８には、シートベルトが装備される。さらに、自転車Ａの前部Ｂ取付時において、風防（図示省略）を幼児座席本体１の前部に取り付けることができる。なお、本発明は、上記実施形態にのみ限定されるものではなく、特許請求の範囲に記載した意味と範囲内で種々変形して実施してもよい。例えば、各可動部分はヒンジ構造に制約されず、スライド構造としてもよく、また、位置決め保持構造も他の構造を採用してもよい。
【図面の簡単な説明】
【００４４】
【図１】本発明の幼児座席を前用とする場合の側面図である。
【図２】同幼児座席の後用とする場合の側面図である。
【図３】同幼児座席の正面図である。
【図４】同幼児座席の背面図である。
【図５】同幼児座席を自転車の前部に取り付けた状態の斜視図である。
【図６】同幼児座席を自転車の後部に取り付けた状態の斜視図である。
【図７】同幼児座席本体と前用ステップ部材との分解斜視図である。
【図８】同後用ステップ部材の分解斜視図である。
【図９】同座部と前用ステップ部材との関係を示す縦断側面図である。
【図１０】同後用ステップ部材と前壁部との固定部分の横断平面図である。
【図１１】同後用ステップ部材とサイドフレームとの枢支部分の縦断正面図である。
【図１２】同後用ステップ部材とサイドステップ部材との枢支部分の縦断正面図である。
【図１３】同後用ステップ部材と後ガード部材との枢支部分の横断平面図である。
【図１４】同ヘッドレスト部材の後方より見た斜視図である。
【図１５】同ヘッドレスト部材のステム部と後壁部とを固定するロックハンドルの横断平面背である。
【図１６】同ヘッドレスト部材の別の実施形態の後方より見た斜視図である。
【図１７】同別の実施形態のヘッドレスト部材を後方に倒した状態の斜視図である。
【符号の説明】
【００４５】
１    幼児座席本体
２    前用ステップ部材
３    後用ステップ部材
４    前下壁
５    フロントステップ
６    側壁
７    サイドステップ
８    座部
９    後壁部
１０    後半部側壁部
１１    サイドフレーム
１２    幼児用グリップハンドル
１３    左右両側開口部
１４    前下方開口部
１５    前壁部
１９    係止ハンドル
２０    ストッパ部材
２４    締結部材
２５    ストッパ部材
２６    固定ハンドル
２８    サイドステップ部材
２９    前ガード部材
３０    後ガード部材
３７    補助ガード部材
４５    ヘッドレスト部材
５０    ロックハンドル
５１    ロック穴
Ａ    自転車
Ｂ    前部
Ｃ    後部
Ｄ    ハンドルバー
【図１】
0004521353.tif 000002
【図２】
0004521353.tif 000003
【図３】
0004521353.tif 000004
【図４】
0004521353.tif 000005
【図５】
0004521353.tif 000006
【図６】
0004521353.tif 000007
【図７】
0004521353.tif 000008
【図８】
0004521353.tif 000009
【図９】
0004521353.tif 000010
【図１０】
0004521353.tif 000011
【図１１】
0004521353.tif 000012
【図１２】
0004521353.tif 000013
【図１３】
0004521353.tif 000014
【図１４】
0004521353.tif 000015
【図１５】
0004521353.tif 000016
【図１６】
0004521353.tif 000017
【図１７】
0004521353.tif 000018